(57)【要約】【課題】ＣＭ区間と本編の変化点を認識できずにＣＭ区間が作成できない場合や、変化点を検出していながら記録とのタイムラグ等から位置が正しくない場合がある。記録時にＣＭ区間と判定できなかった部分は、自動ＣＭスキップを行えない。【解決手段】入力音声判定部３が判定したＣＭの開始点や終了点には、マークをＣＭ管理ファイル作成部５により記録媒体６に記録される。ＣＭ管理ファイル作成部５は編集機能を有しており、記録媒体６から再生された画像及び音声をモニタＴＶ１１に表示させる共に、ＣＭの開始点と終了点のマークを再生し、その再生マーク情報をモニタＴＶ１１に表示する。その表示画像やマーク表示に基づいて、実際のＣＭの開始点と終了点とそれらを示すマークの位置の誤差を確認することができ、ＣＭ管理ファイル作成部５が備えている編集機能を用いて、ＣＭ開始点とＣＭ終了点の正確な位置にマークを編集記録する。【選択図】図１
2007234089.tif 000002
【特許請求の範囲】
【請求項１】
映像及び音声信号からなるテレビジョン放送番組を記録媒体に記録し、番組の中からコマーシャル部分を除いた本編だけを再生するＣＭスキップ機能を有する記録再生装置において、
選局受信している前記テレビジョン放送番組の内容がコマーシャルであるか本編であるかを検出するＣＭ検出手段と、
選局受信している前記テレビジョン放送番組と共に、前記ＣＭ検出手段の検出結果に基づいて、コマーシャルの開始点及び終了点を示す情報を前記記録媒体に記録する記録手段と、
前記記録媒体に記録された前記テレビジョン放送番組を選択して再生する再生手段と、
前記再生手段により再生している前記テレビジョン放送番組情報の中から、前記コマーシャルの開始点及び終了点を示す情報を検出するＣＭ位置検出手段と、
前記ＣＭ位置検出手段により検出された前記コマーシャルの開始点及び終了点を示す情報に基づいて、前記再生手段により再生している前記テレビジョン放送番組情報中のコマーシャル部分を除いた本編だけを再生出力するＣＭスキップ手段と、
前記記録手段により前記記録媒体に記録された前記テレビジョン放送番組に対応させて、前記コマーシャルの開始点及び終了点を示す情報を加工記録する編集手段と
を有することを特徴とする記録再生装置。
【請求項２】
前記ＣＭスキップ機能の動作又は非動作を設定するＣＭスキップ機能設定手段を更に有し、前記ＣＭスキップ機能設定手段は、ＣＭスキップ機能の動作設定時は、前記ＣＭスキップ手段を動作させて前記再生手段により再生している前記テレビジョン放送番組情報中のコマーシャル部分を除いた本編だけを再生出力させ、前記ＣＭスキップ機能の非動作時は、前記ＣＭスキップ手段を非動作として、前記再生手段により再生している前記テレビジョン放送番組をコマーシャル部分を含めて再生させることを特徴とする請求項１記載の記録再生装置。
【請求項３】
前記編集手段は、前記記録媒体に記録されている前記コマーシャルの開始点及び終了点を示す情報を編集する機能と、前記記録媒体の任意の位置にスキップする位置であるか否かを示す情報を新規に記録する機能を有することを特徴とする請求項１記載の記録再生装置。
【発明の詳細な説明】
【技術分野】
【０００１】
本発明は記録再生装置に係り、特にテレビジョン放送の番組の記録媒体への記録時の音声変化や画面変化において、コマーシャルメッセージ（以下、ＣＭと記す）スキップを行う記録再生装置に関する。
【背景技術】
【０００２】
テレビジョン放送の番組を記録媒体に記録再生する記録再生装置の中には、記録する際に画面の変化、音声の変化、無音部分等を検出して、番組のＣＭ区間を自動的に作成し、その記録した番組を再生する時に、番組のＣＭ区間をスキップさせて本編だけを再生する機能（ＣＭスキップ）を搭載しているものがある（例えば、特許文献１、２参照）。
【０００３】
ＣＭ区間と本編の変化点を区別する具体的な方法としては、画面がブラックミュートした部分を変化点と見なす方法、受信した音声信号のモード（モノラル、ステレオ、二ヶ国語）がＣＭ部分はステレオ音声モードで放送されることを利用して変化点と見なす方法、無音が継続した部分を変化点と見なす方法等がある。
【０００４】
例えば、特許文献１記載の従来の記録再生装置では、テレビジョン放送の番組の映像・音声データをＭＰＥＧ（Moving Picture Experts Group）エンコーダで圧縮符号化して記録媒体に記録する際に、音声データの２ヶ国語放送中のステレオ放送部分をＣＭと判断して、本編でなくＣＭであることを識別するためのコードを圧縮符号化データに付加して記録媒体に記録する。そして、記録媒体に記録された圧縮符号化データを再生する際、上記のコードを識別し、ＣＭを示すコードが付加された圧縮符号化データ部分をスキップし、それ以外の圧縮符号化データをＭＰＥＧデコーダへ供給して復号させる。
【０００５】
また、特許文献２記載の従来の記録再生装置では、テレビジョン放送される番組の音声モードの如何にかかわらず、番組本編と共に放送されるＣＭ部を記録媒体に記録しておき、再生時に検出されたＣＭ部であるとされる番組モード情報に基づいて、ＣＭ部をスキップして再生する構成である。例えば、テレビジョン放送番組の映像信号及び音声信号を、その番組と同時に受信される音声モード信号とをそのまま記録媒体に記録し、その後に音声モード信号を再生して得られた音声モード信号の継続時間を調べることにより記録された番組のＣＭ部を特定し、特定されたＣＭ部の番組情報の再生をスキップして、本編部のみを再生することにより、本編部とＣＭ部とが同一の音声モードにより受信される場合であっても、ほぼ正確に本編部のみを再生することができる。
【０００６】
【特許文献１】特開２０００−１１４８８公報
【特許文献２】特開２００１−３２０６７４公報
【発明の開示】
【発明が解決しようとする課題】
【０００７】
しかしながら、上記の特許文献１及び２記載の各記録再生装置は、いずれも主にＣＭ区間（ＣＭ部）は装置が自動的に識別し作成するものであるが、程度の差こそあれ、完全にＣＭ区間を識別できるわけではなく、ＣＭ区間と本編の変化点を認識できずにＣＭ区間が作成できない場合や、変化点を検出していながら記録とのタイムラグ等から位置が正しくない場合がある。
【０００８】
また、記録時にＣＭ区間と判定できなかった部分に関しては、再生時にＣＭ区間と判断できないので自動ＣＭスキップを行えず、再生時にユーザーが操作することでＣＭスキップを実行させる必要がある。
【０００９】
本発明は以上の点に鑑みなされたもので、より自由度が高く、正確にＣＭスキップを行い得る記録再生装置を提供することを目的とする。
【課題を解決するための手段】
【００１０】
上記目的を達成するため、本発明は、映像及び音声信号からなるテレビジョン放送番組を記録媒体に記録し、番組の中からコマーシャル部分を除いた本編だけを再生するＣＭスキップ機能を有する記録再生装置において、選局受信しているテレビジョン放送番組の内容がコマーシャルであるか本編であるかを検出するＣＭ検出手段と、選局受信しているテレビジョン放送番組と共に、ＣＭ検出手段の検出結果に基づいて、コマーシャルの開始点及び終了点を示す情報を記録媒体に記録する記録手段と、記録媒体に記録されたテレビジョン放送番組を選択して再生する再生手段と、再生手段により再生しているテレビジョン放送番組情報の中から、コマーシャルの開始点及び終了点を示す情報を検出するＣＭ位置検出手段と、ＣＭ位置検出手段により検出されたコマーシャルの開始点及び終了点を示す情報に基づいて、再生手段により再生しているテレビジョン放送番組情報中のコマーシャル部分を除いた本編だけを再生出力するＣＭスキップ手段と、記録手段により記録媒体に記録されたテレビジョン放送番組に対応させて、コマーシャルの開始点及び終了点を示す情報を加工記録する編集手段とを有することを特徴とする。
【００１１】
この発明では、編集手段を有するようにしたため、ＣＭ検出手段の検出結果に基づいて、コマーシャルの開始点及び終了点を示す情報が記録媒体に自動的に記録された場合であっても、その後にコマーシャルの開始点及び終了点を示す情報の修正、削除ができる。
【００１２】
また、上記の目的を達成するため、本発明は、ＣＭスキップ機能の動作又は非動作を設定するＣＭスキップ機能設定手段を更に有し、ＣＭスキップ機能設定手段は、ＣＭスキップ機能の動作設定時は、ＣＭスキップ手段を動作させて再生手段により再生しているテレビジョン放送番組情報中のコマーシャル部分を除いた本編だけを再生出力させ、ＣＭスキップ機能の非動作時は、ＣＭスキップ手段を非動作として、再生手段により再生しているテレビジョン放送番組をコマーシャル部分を含めて再生させることを特徴とする。
【００１３】
また、上記の目的を達成するため、本発明は編集手段を、記録媒体に記録されているコマーシャルの開始点及び終了点を示す情報を編集する機能と、記録媒体の任意の位置にスキップする位置であるか否かを示す情報を新規に記録する機能を有することを特徴とする。この発明では、記録媒体に記録されているテレビジョン放送番組にコマーシャルの開始点及び終了点を示す情報が記録されていなくても、新規に記録することができることは勿論のこと、コマーシャルとは関係ない部分においても、スキップする位置であることを示す情報を新規に記録することができる。
【発明の効果】
【００１４】
本発明によれば、編集手段により、ＣＭ検出手段の検出結果に基づいて、装置がコマーシャルの開始点及び終了点を示す情報が記録媒体に自動的に記録された場合であっても、その後にコマーシャルの開始点及び終了点を示す情報の修正、削除ができるため、より自由度が高く、正確にＣＭスキップを行うことができる。
【００１５】
また、本発明によれば、編集手段により、任意の位置にスキップする位置であることを示す情報を新規に記録することができるため、例えば視聴したくない場面をスキップさせることができる。
【発明を実施するための最良の形態】
【００１６】
次に、本発明を実施するための最良の形態を図面を参照して説明する。図１は本発明になる記録再生装置の一実施の形態のブロック図を示す。本実施の形態の記録再生装置は、テレビジョン放送信号を受信して、所望の放送局の番組の映像信号及び音声信号の圧縮符号化データを生成するエンコーダ部１２と、所望の放送局の番組の圧縮符号化データを記録媒体６に記録し、再生する記録再生部１３と、記録再生部１３で再生された映像信号及び音声信号をモニタＴＶ１１に再生出力するためにデコードするデコーダ部１４より構成される。
【００１７】
エンコーダ部１２は、テレビジョン放送信号をアンテナを介して映像検波及び音声検波を行って所望の放送局の番組の映像信号及び音声信号を出力するＴＶチューナ１と、ＴＶチューナ１から出力されたアナログ信号である映像信号及び音声信号をデジタル信号に変換するＡ／Ｄ変換器２と、受信したテレビジョン放送の番組がＣＭであるか本編であるかの判断を、受信音声信号に基づいて行う入力音声判定部３と、Ａ／Ｄ変換器２から出力された信号をＭＰＥＧ（Moving Picture Experts Group）２形式のビットストリームに変換するＭＰＥＧ−２エンコーダ４とで構成される。
【００１８】
記録再生部１３は、エンコーダ部１２から供給されたビットストリームデータを記録媒体６のフォーマットに則した形で記録媒体６に記録を行うと共に、ＣＭスキップを行うための情報を作成するＣＭスキップ管理ファイル作成部５と、記録媒体６に記録したビットストリームを再生してデコーダ部１４に供給すると共に、ＣＭ部分を判定してＣＭスキップさせるＣＭスキップ判定部７と、ＣＭスキップを動作させるか非動作にするかを決定するＣＭスキップ設定部８とにより構成される。記録媒体６はハードディスクや記録対応光ディスクなど、ランダムアクセスが可能なメディアが適している。
【００１９】
デコーダ部１４は、記録再生部１３において、記録媒体６から再生されたＭＰＥＧ−２ビットストリームを復号するＭＰＥＧ−２デコーダ９と、ＭＰＥＧ−２デコーダ９で復号されたデジタルビデオ信号及びデジタルオーディオ信号をアナログ信号に変換するＤ／Ａ変換器１０とで構成され、ＣＭスキップ判定部７で得られた情報を基に映像と音声に関するアナログ信号がモニタＴＶ１１に出力されて表示される。
【００２０】
次に、ＣＭスキップのアルゴリズムに関して説明する。入力音声判定部３はテレビジョン放送の音声信号がモノラル音声、ステレオ音声、二ヶ国語音声のうち、入力音声信号がステレオ音声に変化した時点をＣＭの開始点と設定する従来周知の判定手法を用いる。また、その逆に、入力音声信号が、ステレオ音声からモノラル音声や二ヶ国語音声に変化した時点をＣＭの終了点と判定する。
【００２１】
また、入力音声判定部３はＣＭ放送がない放送局や、上記変化点が異なる番組間で発生した時も考慮して、ＣＭ開始の変化点が現れても、予め設定した一定時間ＣＭ終了の変化点が現れない場合は、それをＣＭ区間と見なさないようになされている。更に、入力音声判定部３が判定したＣＭの開始点や終了点には、マークを記録することにより、再生時に位置情報を把握できるようにする。これらのマークは、ＣＭ管理ファイル作成部５により、番組のストリーム情報とは別の管理ファイルとして保存され、記録媒体６のビットストリームと異なるユーザデータ領域に、番組記録中に適宜記録される。
【００２２】
本実施の形態のＣＭスキップでは、ＣＭスキップ設定部８がＣＭスキップを行うようにＣＭスキップ判定部７に設定した場合は、ＣＭスキップ判定部７は、記録媒体６から再生された上記ＣＭ開始点に記録した第１のマークとＣＭ終了点に記録した第２のマークを検出し、検出した第１のマークから第２のマークまでの間は、記録媒体６から再生されたＭＰＥＧ−２ビットストリームを復号するデコーダ部１４に対して、再生画像信号及び再生音声信号を出力させず、スキップさせる。従って、ＣＭ区間があたかも記録されていなかったものとして本編番組の画像及び音声だけが再生されてモニタＴＶ１１で表示等される。
【００２３】
なお、上記のＣＭスキップ判定部７がＣＭスキップ制御を行う場合、再生を行っていて上記管理ファイルで示されたＣＭの開始点に到達した場合は、次のマークを検索して、そのマークがＣＭの終了点を示している場合にのみ、上記のＣＭ開始点と検索した次のマークが示すＣＭ終了点の間がＣＭ区間として判断してスキップさせる。この一対のマークを確認する作業は、ユーザの編集作業などにより、ＣＭ区間が部分削除された場合等を除外するためである。
【００２４】
一方、ＣＭスキップ設定部８がＣＭスキップを行なわないようにＣＭスキップ判定部７に設定した場合は、ＣＭスキップ判定部７は非動作とされ、デコーダ部１４からは記録媒体６から再生された再生画像信号及び再生音声信号を、本編だけでなくＣＭ区間を含めてそのまま再生される。従って、ＣＭスキップ設定部８により、ＣＭ区間の視聴、スキップの選択がユーザにより任意にできる。
【００２５】
次に、本実施の形態によるＣＭ開始点とＣＭ終了点の設定方法の各例について更に詳細に説明する。設定方法の第１の例は、入力音声判定部３によりＣＭと判定されＣＭ区間として記録したが、音声判定と記録のタイムラグや、ＣＭスキップの品位の向上のために、ＣＭそのものよりも大きめにＣＭ開始点とＣＭ終了点が設定された場合である。
【００２６】
すなわち、図３に示すように、記録媒体６にはモノラル音声の本編の番組区間２１、ステレオ音声のＣＭ区間２２、モノラル音声の本編の番組区間２３の順で記録される場合、記録されたＣＭ開始点４１ａはＣＭ区間２２の実際の開始点よりも更に前の本編番組区間２１内の位置を示し、記録されたＣＭ終了点４１ｂはＣＭ区間２２の実際の終了点よりも更に後の本編番組区間２３内の位置を示す場合である。
【００２７】
この場合、図３に示すように、本来のＣＭ区間２２と記録されたＣＭ開始点４１ａからＣＭ終了点４１ｂまでのＣＭ区間とでは誤差が生じている。従来は装置が自動的に記録してしまうので、その情報（ＣＭ開始点４１ａ、ＣＭ終了点４１ｂ）を基に再生する以外に方法はない。しかし、本実施の形態では、図３のようにＣＭ開始点４１ａとＣＭ終了点４１ｂを装置が記録しても、出来上がった番組に対してもＣＭマークの編集を行えるようにする事により、本来のＣＭ区間と装置で記録したＣＭ区間が一致した図２に示すような位置関係になる。
【００２８】
すなわち、図１のＣＭ管理ファイル作成部５は編集機能を有しており、図３のように記録された記録媒体６を再生し、記録媒体６から再生されたＭＰＥＧ−２ビットストリームをデコーダ部１４で復号させてモニタＴＶ１１に出力して画像及び音声を表示させる共に、ＣＭ開始点４１ａのマークとＣＭ終了点４１ｂのマークを再生し、その再生マーク情報をモニタＴＶ１１に表示する。
【００２９】
これにより、ユーザは、モニタＴＶ１１の表示画像やマーク表示に基づいて、実際のＣＭの開始点と終了点とそれらを示すマークの位置の誤差を確認することができ、ＣＭ管理ファイル作成部５が備えている「ＣＭ新規作成」、「ＣＭ移動」、「ＣＭ削除」といった編集機能を用いて、モニタＴＶ１１の表示画像を見ながら、図３に示したＣＭ開始点４１ａのマークを削除してＣＭ区間２２の、図２に示す正確なＣＭ開始点３１ａにＣＭ開始点を示すマークを新たに記録するか、ＣＭ開始点４１ａの記録マークの位置をＣＭ開始点３１ａの位置に移動する。
【００３０】
同様に、図３に示したＣＭ終了点４１ｂのマークを削除してＣＭ区間２２の、図２に示す正確なＣＭ終了点３１ｂにＣＭ終了点を示すマークを新たに記録するか、ＣＭ終了点４１ｂの記録マークの位置をＣＭ終了点３１ｂの位置に移動する。これにより、図２に示すように、ＣＭ区間２２の本来のＣＭ開始点３１ａとＣＭ終了点３１ｂにマークが編集記録される。なお、図２では本編番組区間２３に続いてＣＭ区間２４が存在するが、このＣＭ区間２４についても同様にして、ＣＭ区間２４の本来のＣＭ開始点３２ａとＣＭ終了点３２ｂにマークが編集記録される。
【００３１】
次に、設定方法の第２の例について説明する。この第２の例は、図１の入力音声判定部３では音声の変化を認識できずＣＭ区間と判定できなかった場合である。すなわち、記録媒体６には、例えば図４に示すように、ステレオ音声の本編の番組区間５１、ステレオ音声のＣＭ区間５２、ステレオ音声の本編の番組区間５３の順で記録されるが、本編及びＣＭ共にステレオ音声であるため、入力音声判定部３では音声の変化を認識できずＣＭ区間と判定できないため、ＣＭ開始点及びＣＭ終了点のマークは記録されず、自動でＣＭ区間が作成されない。
【００３２】
この場合でも、本実施の形態では、図１の編集機能を有しているＣＭ管理ファイル作成部５により、図４のように記録された記録媒体６を再生し、記録媒体６から再生されたＭＰＥＧ−２ビットストリームをデコーダ部１４で復号させてモニタＴＶ１１に出力して画像及び音声を表示させる。ただし、この場合は、ＣＭの開始点と終了点を示す各マークは記録されていないので、モニタＴＶ１１には表示されない。
【００３３】
ユーザは、モニタＴＶ１１の表示画像に基づいて、ＣＭ管理ファイル作成部５が備えている「ＣＭ新規作成」といった編集機能を用いて、モニタＴＶ１１の表示画像を見ながら、新規にＣＭ開始点を示すマークと、ＣＭ終了点を示すマークをＣＭ区間５２の開始点と終了点に記録する。このように、本実施の形態では、図４に示すようなＣＭの開始点と終了点を示す各マークは記録されていない記録媒体に対しても、ＣＭ管理ファイル作成部５が備えている「ＣＭ新規作成」といった編集機能を用いて、新規にＣＭ開始点を示すマークと、ＣＭ終了点を示すマークを記録できるようにしているため、図２に示すような位置関係のＣＭ区間が作成できる。
【００３４】
なお、本発明は以上の実施の形態に限定されるものではなく、例えば、ＣＭ管理ファイル作成部５の有する編集機能は、図３や図４に示したコマーシャルの開始点及び終了点を示すマークの記録位置を修正したり、新規に記録する場合に限らず、コマーシャルとは関係ない部分においても、視聴したくない場面に対応させてスキップする位置であることを示すマークを新規に記録するようにしてもよく、この場合には視聴したくない場面をスキップさせることができる。また、本発明における記録再生装置は、番組情報を取得して記録再生動作を行う全ての装置に適用できる。
【図面の簡単な説明】
【００３５】
【図１】本発明の記録再生装置の一実施の形態のブロック図である。
【図２】異なる音声モードで受信されるＣＭと本編を区別するマークの理想的な位置関係の一例を示す図である。
【図３】本発明で編集記録される、記録媒体上での異なる音声モードで受信され記録されるＣＭの位置と本編を区別するマークの実際の記録位置とがずれている場合の一例を示す図である。
【図４】本発明で編集記録される、記録媒体上での同じ音声モードで受信され記録されるＣＭの位置と本編の位置関係の一例を示す図である。
【符号の説明】
【００３６】
１  チューナ
２  Ａ／Ｄ変換器
３  入力音声判定部
４  ＭＰＥＧ−２  エンコーダ
５  編集機能を備えたＣＭ管理ファイル作成部
６  記録媒体
７  ＣＭスキップ判定部
８  ＣＭスキップ設定部
９  Ｄ／Ａ変換器
１０  ＭＰＥＧ−２  デコーダ
１１  モニタＴＶ
１２  エンコーダ部
１３  記録再生部
１４  デコーダ部
【図１】
2007234089.tif 000003
【図２】
2007234089.tif 000004
【図３】
2007234089.tif 000005
【図４】
2007234089.tif 000006